(57)【要約】【課題】コストが安く簡単に設置でき、かつ設置後に季節によって取外す必要がなく、更には雪下ろしに際して少ない電力で効果的に屋根の雪下ろしを行うことができる屋根の雪下ろし装置を提供する。【解決手段】軒先一端側ワイヤ走行方向変換プーリー（軒先一端側ワイヤ走行方向変換手段）１１０と、軒先他端側ワイヤ走行方向変換プーリー（軒先他端側ワイヤ走行方向変換手段）１２０と、棟一端側ワイヤプーリー（棟一端側ワイヤ走行方向変換手段）２１０と、棟他端側ワイヤ走行方向変換プーリー（棟他端側ワイヤ走行方向変換手段）２２０と、軒先一端側ワイヤ巻き取り送り出しドラム（軒先一端側ワイヤ巻き取り送り出し手段）３１０と、軒先他端側ワイヤ巻き取り送り出しドラム（軒先他端側ワイヤ巻き取り送り出し手段）３２０と、屋根の雪おろしを行う雪下ろし用ワイヤ４００を有している。【選択図】図１
2018184764.tif 000002
【特許請求の範囲】
【請求項１】
棟と軒先を有する略四角形の屋根の一面に積もった雪を下ろす屋根の雪下ろし装置であって、
前記屋根の雪下ろし装置を前記屋根の一面に設置した状態で見て、
前記軒先の一端の近傍に備わった軒先一端側ワイヤ走行方向変換手段と、
前記軒先の他端の近傍に備わった軒先他端側ワイヤ走行方向変換手段と、
前記軒先の一端に近い側の棟の一端の近傍に備わった棟一端側ワイヤ走行方向変換手段と、
前記軒先の他端に近い側の棟の他端の近傍に備わった棟他端側ワイヤ走行方向変換手段と、
前記軒先一端側ワイヤ走行方向変換手段の下方に設けた軒先一端側ワイヤ巻き取り送り出し手段と、
前記軒先他端側ワイヤ走行方向変換手段の下方に設けた軒先他端側ワイヤ巻き取り送り出し手段と、
前記屋根の雪おろしを行う雪下ろし用ワイヤを有し、
前記雪下ろし用ワイヤは、ワイヤ一端側送り出し部分と、ワイヤ他端側送り出し部分と、ワイヤ雪下ろし部分からなり、
前記屋根からの雪下ろし前の状態において、
前記ワイヤ雪下ろし部分は、前記軒先一端側ワイヤ巻き取り送り出し手段から前記軒先一端側ワイヤ走行方向変換手段に係合しながら、前記棟一端側ワイヤ走行方向変換手段の近傍及び前記棟他端側ワイヤ走行方向変換手段の近傍を経由し、前記軒先他端側ワイヤ走行方向変換手段に係合しながら、前記軒先他端側ワイヤ巻き取り送り出し手段まで達しており、
前記ワイヤ一端側送り出し部分は、前記軒先一端側ワイヤ巻き取り送り出し手段から前記軒先一端側ワイヤ走行方向変換手段に係合しながら、前記棟一端側ワイヤ走行方向変換手段に更に係合し、かつその上側端部が前記ワイヤ雪下ろし部分の前記棟一端側ワイヤ走行方向変換手段の近傍部分に位置する前記ワイヤ雪下ろし部分に連結固定され、その下側端部は、前記ワイヤ雪下ろし部分の前記軒先一端側ワイヤ巻き取り送り出し手段側の端部と、当該軒先一端側ワイヤ巻き取り送り出し手段にそれぞれ所定の回数だけ巻回された状態で互いに連結され、
前記ワイヤ他端側送り出し部分は、前記軒先他端側ワイヤ巻き取り送り出し手段から前記軒先他端側ワイヤ走行方向変換手段に係合しながら、前記棟他端側ワイヤ走行方向変換手段に更に係合し、かつその上側端部が前記ワイヤ雪下ろし部分の前記棟他端側ワイヤ走行方向変換手段の近傍部分に位置する前記ワイヤ雪下ろし部分に連結固定され、その下側端部は、前記ワイヤ雪下ろし部分の前記軒先他端側ワイヤ巻き取り送り出し手段側の端部と、当該軒先他端側ワイヤ巻き取り送り出し手段にそれぞれ所定の回数だけ巻回された状態で互いに連結され、
前記軒先一端側ワイヤ巻き取り送り出し手段の操作に応じて、当該軒先一端側ワイヤ巻き取り送り出し手段から前記ワイヤ一端側送り出し部分が送り出されると共に、前記ワイヤ雪下ろし部分が当該軒先一端側ワイヤ巻き取り送り出し手段に巻き取られることで生じる前記棟一端側ワイヤ走行方向変換手段から離間する当該ワイヤ雪下ろし部分の移動動作によって、前記屋根の上に積もった雪の少なくとも一部を軒先から雪下ろしすることができるようになっていると共に、
前記軒先他端側ワイヤ巻き取り送り出し手段の操作に応じて当該軒先他端側ワイヤ巻き取り送り出し手段から前記ワイヤ他端側送り出し部分が送り出されると共に、前記ワイヤ雪下ろし部分が当該軒先他端側ワイヤ巻き取り送り出し手段に巻き取られることで生じる前記棟他端側ワイヤ走行方向変換手段から離間する当該ワイヤ雪下ろし部分の移動動作によって、前記屋根の上に積もった雪の少なくとも一部を軒先から雪下ろしすることを特徴とする屋根の雪下ろし装置。
【請求項２】
前記軒先一端側ワイヤ巻き取り送り出し手段と前記軒先他端側ワイヤ巻き取り送り出し手段の同時操作によって、前記ワイヤ一端側送り出し部分と前記ワイヤ他端側送り出し部分が同時に送り出されることで、前記ワイヤ雪下ろし部分のうち、前記棟一端側ワイヤ走行方向変換手段の近傍部分と前記棟他端側ワイヤ走行方向変換手段の近傍部分との間の当該ワイヤ雪下ろし部分が、前記軒先に向かって平行に移動することで、前記屋根の上に積もった雪を一度に軒先に雪下ろしすることを特徴とする請求項１に記載の屋根の雪下ろし装置。
【発明の詳細な説明】
【技術分野】
【０００１】
本発明は、屋根に積もった雪の雪下ろしを人手によらず行うための屋根の雪下ろし装置に関する。
【背景技術】
【０００２】
近年の地球環境の変化により、冬場においても異常気象に伴った巨大な低気圧が降雪地帯を通過し、屋根に一晩で多量の雪が積雪するような事態が起きている。
【０００３】
このため、屋根の雪下ろし作業を頻繁に行う必要が生じ、それに伴う雪下ろし作業中の落下事故等が多発している。そこで、このような問題に対して様々な屋根の雪下ろし装置が考えられている（特許文献１乃至特許文献４参照）。
【０００４】
例えば、特許文献１には、エアーマットを屋根上に据え付け、屋根の上方端側に設置したバイブレータ装置と振動板からなる振動手段を用いることで、エアーマット内部の空気を介してエアーマット全体を振動させることにより、積雪を滑り落とす除雪装置が記載されている。
【０００５】
特許文献２には、楔型気密袋を屋根に固定しており、降雪時にはポンプを用いて気密袋を膨張させることで、屋根の傾斜角を急峻にすることで積雪を滑り落とす装置が記載されている。
【０００６】
特許文献３には、融雪に用いる水を貯え、加熱用の電熱部材を巻き付けた貯水容器と、その電熱部材に電流を供給する発電装置を用いて、加熱と貯水を同時に行うことで、加圧した温水を散水し、エネルギーの無駄を減らしつつ、融雪させる装置が記載されている。
【０００７】
特許文献４には、ヒーターパネルを屋根上に設置することで、ヒーターパネルの発熱により、屋根上部の積雪を融解させる装置が記載されている。
【先行技術文献】
【特許文献】
【０００８】
【特許文献１】特開２００７―２３９２１９号公報
【特許文献２】特開２００７―２８５１０６号公報
【特許文献３】特開２０１５―１６１０６８号公報
【特許文献４】特開２００７―２７３２４４号公報
【発明の概要】
【発明が解決しようとする課題】
【０００９】
特許文献１に記載されている内容はエアーマットを振動させることで雪下ろしをするため、屋根全体にエアーマットを敷設する必要があり、一年中設置し続けると夏場の太陽光等により破損して空気漏れなどが生じて肝心の冬場に動作しなくなるか、このような事態を防ぐために定期的なメンテナンスを必要として余分なコストがかかる可能性がある。
【００１０】
また、冬場のみの使用とすると、毎年冬になるごとに屋根の上での敷設作業を行わなければならず極めて面倒であり、かつ危険を伴う上、コストも掛ってしまう。
【００１１】
また、特許文献２に記載されている内容は、ポンプで気密袋を膨張させることにより、急峻な傾斜角を作ることで屋根の雪下ろしを行うが、特許文献１と同様の問題を抱えている。
【００１２】
また、特許文献３に記載されている内容は、水を温水にして屋根等に設置した散水部材から温水を撒くことで雪を溶かす装置であるが、水を温水化するためにはヒーターを加熱するためのかなりの電力を必要とし、それに応じて使用するための設置コストが嵩むだけでなく、毎年冬の期間にこの装置を使用するための電気代も高くなってしまう。
【００１３】
また、特許文献４に記載されている内容は、ヒーターパネルを屋根上に設置することで雪を溶かす方法であるが、この装置で完全に屋根の雪下ろしを行うためには屋根に多数のヒーターパネルを設置する必要があり、設置のコストが非常に嵩んでしまう。
【００１４】
また、この装置は屋根から容易に取り外すことができず屋根に常時設置するようになるので、夏場の太陽光による屋根の温度上昇に起因してヒーターの断線などの故障を招き、冬場の使い始める際に定期的な点検やメンテナンスを必要とするようになる。
【００１５】
本発明の目的は、コストが安く簡単に設置でき、かつ設置後に季節によって取外す必要がなく、更には雪下ろしに際して少ない電力で効果的に屋根の雪下ろしを行うことができる屋根の雪下ろし装置を提供することにある。
【課題を解決するための手段】
【００１６】
上述した課題を解決するために、本発明の請求項１に係る屋根の雪下ろし装置は、
棟と軒先を有する略四角形の屋根の一面に積もった雪を下ろす屋根の雪下ろし装置であって、
前記屋根の雪下ろし装置を前記屋根の一面に設置した状態で見て、
前記軒先の一端の近傍に備わった軒先一端側ワイヤ走行方向変換手段と、
前記軒先の他端の近傍に備わった軒先他端側ワイヤ走行方向変換手段と、
前記軒先の一端に近い側の棟の一端の近傍に備わった棟一端側ワイヤ走行方向変換手段と、
前記軒先の他端に近い側の棟の他端の近傍に備わった棟他端側ワイヤ走行方向変換手段と、
前記軒先一端側ワイヤ走行方向変換手段の下方に設けた軒先一端側ワイヤ巻き取り送り出し手段と、
前記軒先他端側ワイヤ走行方向変換手段の下方に設けた軒先他端側ワイヤ巻き取り送り出し手段と、
前記屋根の雪おろしを行う雪下ろし用ワイヤを有し、
前記雪下ろし用ワイヤは、ワイヤ一端側送り出し部分と、ワイヤ他端側送り出し部分と、ワイヤ雪下ろし部分からなり、
前記屋根からの雪下ろし前の状態において、
前記ワイヤ雪下ろし部分は、前記軒先一端側ワイヤ巻き取り送り出し手段から前記軒先一端側ワイヤ走行方向変換手段に係合しながら、前記棟一端側ワイヤ走行方向変換手段の近傍及び前記棟他端側ワイヤ走行方向変換手段の近傍を経由し、前記軒先他端側ワイヤ走行方向変換手段に係合しながら、前記軒先他端側ワイヤ巻き取り送り出し手段まで達しており、
前記ワイヤ一端側送り出し部分は、前記軒先一端側ワイヤ巻き取り送り出し手段から前記軒先一端側ワイヤ走行方向変換手段に係合しながら、前記棟一端側ワイヤ走行方向変換手段に更に係合し、かつその上側端部が前記ワイヤ雪下ろし部分の前記棟一端側ワイヤ走行方向変換手段の近傍部分に位置する前記ワイヤ雪下ろし部分に連結固定され、その下側端部は、前記ワイヤ雪下ろし部分の前記軒先一端側ワイヤ巻き取り送り出し手段側の端部と、当該軒先一端側ワイヤ巻き取り送り出し手段にそれぞれ所定の回数だけ巻回された状態で互いに連結され、
前記ワイヤ他端側送り出し部分は、前記軒先他端側ワイヤ巻き取り送り出し手段から前記軒先他端側ワイヤ走行方向変換手段に係合しながら、前記棟他端側ワイヤ走行方向変換手段に更に係合し、かつその上側端部が前記ワイヤ雪下ろし部分の前記棟他端側ワイヤ走行方向変換手段の近傍部分に位置する前記ワイヤ雪下ろし部分に連結固定され、その下側端部は、前記ワイヤ雪下ろし部分の前記軒先他端側ワイヤ巻き取り送り出し手段側の端部と、当該軒先他端側ワイヤ巻き取り送り出し手段にそれぞれ所定の回数だけ巻回された状態で互いに連結され、
前記軒先一端側ワイヤ巻き取り送り出し手段の操作に応じて、当該軒先一端側ワイヤ巻き取り送り出し手段から前記ワイヤ一端側送り出し部分が送り出されると共に、前記ワイヤ雪下ろし部分が当該軒先一端側ワイヤ巻き取り送り出し手段に巻き取られることで生じる前記棟一端側ワイヤ走行方向変換手段から離間する当該ワイヤ雪下ろし部分の移動動作によって、前記屋根の上に積もった雪の少なくとも一部を軒先から雪下ろしすることができるようになっていると共に、
前記軒先他端側ワイヤ巻き取り送り出し手段の操作に応じて当該軒先他端側ワイヤ巻き取り送り出し手段から前記ワイヤ他端側送り出し部分が送り出されると共に、前記ワイヤ雪下ろし部分が当該軒先他端側ワイヤ巻き取り送り出し手段に巻き取られることで生じる前記棟他端側ワイヤ走行方向変換手段から離間する当該ワイヤ雪下ろし部分の移動動作によって、前記屋根の上に積もった雪の少なくとも一部を軒先から雪下ろしすることを特徴としている。
【００１７】
また、本発明の請求項２に係る屋根の雪下ろし装置は、請求項１に記載の屋根の雪下ろし装置において、
前記軒先一端側ワイヤ巻き取り送り出し手段と前記軒先他端側ワイヤ巻き取り送り出し手段の同時操作によって、前記ワイヤ一端側送り出し部分と前記ワイヤ他端側送り出し部分が同時に送り出されることで、前記ワイヤ雪下ろし部分のうち、前記棟一端側ワイヤ走行方向変換手段の近傍部分と前記棟他端側ワイヤ走行方向変換手段の近傍部分との間の当該ワイヤ雪下ろし部分が、前記軒先に向かって平行に移動することで、前記屋根の上に積もった雪を一度に軒先に雪下ろしすることを特徴としている。
【００１８】
なお、好ましくは、前記軒先一端側ワイヤ走行方向変換手段、前記軒先他端側ワイヤ走行方向変換手段、前記棟一端側ワイヤ走行方向変換手段、前記棟他端側ワイヤ走行方向変換手段は、砲金、ベアリング、プーリーの何れかからなるのが良い。
【００１９】
また、好ましくは、前記軒先一端側ワイヤ巻き取り送り出し手段と前記軒先他端側ワイヤ巻き取り送り出し手段は、ドラム形状を有しているのが良い。
【発明の効果】
【００２０】
本発明に係る屋根の雪下ろし装置によると、コストが安く簡単に設置でき、かつ設置後に季節によって取外す必要がなく、更には雪下ろしに際して少ない電力で効果的に屋根の雪下ろしを行うことができる。
【図面の簡単な説明】
【００２１】
【図１】本発明に係る屋根の雪下ろし装置の一実施形態を概略的に示す斜視図である。
【図２】図１に示した屋根の雪下ろし装置を用いて雪下ろしを行う際の動作を示す説明図である。
【図３】図２に示した動作に続く雪下ろし動作を示す説明図である。
【図４】図３に示した動作に続く雪下ろし動作を示す説明図である。
【図５】図２に示した動作に続く別の雪下ろし動作を示す説明図である。
【図６】図５に示した動作に続く雪下ろし動作を示す説明図である。
【図７】図１に示した屋根の雪下ろし装置を用いて雪下ろしを行う際の図２乃至図６とは異なる雪下ろし動作を示す説明図である。
【図８】図７に示した動作に続く雪下ろし動作を示す説明図である。
【図９】図８に示した動作に続く雪下ろし動作を示す説明図である。
【図１０】本発明に係る屋根の雪下ろし装置を取り付ける前の家を概略的に示す斜視図である。
【発明を実施するための形態】
【００２２】
以下、本発明の実施形態に係る屋根の雪下ろし装置（以下、適宜単に「屋根の雪下ろし装置」とする）について、図面に基づいて詳細に説明する。図１は、本発明に係る屋根の雪下ろし装置の一実施形態を概略的に示す斜視図である。また、図１０は、本発明に係る屋根の雪下ろし装置を取り付ける前の家を概略的に示す斜視図である。
【００２３】
本実施形態に係る屋根の雪下ろし装置１は、図１及び図１０に示すように、棟２０と軒先１０を有する略四角形の屋根の一面に積もった雪を下ろす屋根の雪下ろし装置であって、軒先一端側ワイヤ走行方向変換プーリー（軒先一端側ワイヤ走行方向変換手段）１１０と、軒先他端側ワイヤ走行方向変換プーリー（軒先他端側ワイヤ走行方向変換手段）１２０と、棟一端側ワイヤプーリー（棟一端側ワイヤ走行方向変換手段）２１０と、棟他端側ワイヤ走行方向変換プーリー（棟他端側ワイヤ走行方向変換手段）２２０と、軒先一端側ワイヤ巻き取り送り出しドラム（軒先一端側ワイヤ巻き取り送り出し手段）３１０と、軒先他端側ワイヤ巻き取り送り出しドラム（軒先他端側ワイヤ巻き取り送り出し手段）３２０と、屋根の雪おろしを行う雪下ろし用ワイヤ４００を有している。
【００２４】
そして、上述した各構成要素は、屋根の雪下ろし装置を屋根の一面に設置した状態で見て、図１に示すような位置、即ち下記の位置にそれぞれ配置されるようになっている。
【００２５】
軒先一端側ワイヤ走行方向変換プーリー１１０（１１１，１１２）は、取付ブラケット１１５を介して軒先１０の一端１１の近傍に回転自在に取り付けられている。より詳細には、取付ブラケット１１５には、プーリー支持用シャフトが備わり、このプーリー支持用シャフトに２つの互いに独立して回転可能な第１の軒先一端側プーリー１１１と第２の軒先一端側プーリー１１２が備わっている。そして、第１の軒先一端側プーリー１１１には、後述するワイヤ雪下ろし部分４５０が係合してこのワイヤの走行方向を屋根の上面に沿った方向から鉛直方向に変更するようになっている。また、第２の軒先一端側プーリー１１２には、後述するワイヤ一端側送り出し部分４１０が係合しこのワイヤの走行方向を鉛直方向から屋根の上面に沿った方向に変更するようになっている。
【００２６】
また、軒先他端側ワイヤ走行方向変換プーリー１２０は、取付ブラケット１２５を介して軒先１０の他端１２の近傍に回転自在に取り付けられている。より詳細には、取付ブラケット１２５には、プーリー支持用シャフトが備わり、このプーリー支持用シャフトに２つの互いに独立して回転可能な第１の軒先他端側プーリー１２１と第２の軒先他端側プーリー１２２が備わっている。そして、第１の軒先他端側プーリー１２１には、後述するワイヤ雪下ろし部分４５０が係合してこのワイヤの走行方向を屋根の上面に沿った方向から鉛直方向に変更するようになっている。また、第２の軒先他端側プーリー１２２には、後述するワイヤ他端側送り出し部分４２０が係合してこのワイヤの走行方向を鉛直方向から屋根の上面に沿った方向に変更するようになっている。
【００２７】
また、棟一端側ワイヤ走行方向変換プーリー２１０は、取付ブラケット２１５を介して軒先１０の一端１１に近い側の棟２０の一端２１の近傍に回転自在に取り付けられている。より詳細には、取付ブラケット２１５には、プーリー支持用シャフトが備わり、このプーリー支持用シャフトに１つの回転可能な棟一端側プーリー２１０が備わっている。そして、棟一端側プーリー２１０には、後述するワイヤ一端側送り出し部分４１０が係合してワイヤの走行方向を屋根の上面の側縁に沿った方向から屋根の上面の中央方向に変更するようになっている。
【００２８】
また、棟他端側ワイヤ走行方向変換プーリー２２０は、取付ブラケットを介して軒先１０の他端１２に近い側の棟２０の他端２２の近傍に回転自在に取り付けられている。より詳細には、取付ブラケット２２５には、プーリー支持用シャフトが備わり、このプーリー支持用シャフトに１つの回転可能な棟他端側ワイヤ走行方向変換プーリー２２０が備わっている。そして、棟他端側ワイヤ走行方向変換プーリー２２０には、後述するワイヤ他端側送り出し部分４２０が係合してワイヤの走行方向を屋根の上面の側縁に沿った方向から屋根の上面の中央方向に変更するようになっている。
【００２９】
なお、上述した各プーリーの材質は金属でも良く強度や耐久性に優れた樹脂でも良い。これによって、本発明に係る屋根の雪下ろし装置の耐久性を高め、メンテナンスフリーのまま長期間にわたって使用し続けることができる。また、プーリーの代わりに本明細書の末尾に記載した他の部材を用いても良い
更にはワイヤが布製のロープでできている場合、各プーリーは木材でできていても良い。これによって、例えば家屋がログハウスのように全て木材でできている場合であっても、この家屋の美観を損ねることなく本発明に係る屋根の雪下ろし装置を家屋の屋根に取り付けることができる。
【００３０】
軒先一端側ワイヤ巻き取り送り出しドラム３１０は、軒先一端側ワイヤ走行方向変換プーリー１１０の下方に備わっている。そして、雪下ろしワイヤ４００のワイヤ雪下ろし部分４５０とワイヤ一端側送り出し部分４１０とがそれぞれドラムに所定回数だけ巻回された状態で、互いの端部４５１，４１１が連結されている。
【００３１】
なお、軒先一端側ワイヤ巻き取り送り出しドラム３１０は、ブラケット３１５で軒先一端側の下方の家の外部に取り付けられると共に、このドラムを回転させるハンドル３１８が備わっている。また、ハンドル３１８の取っ手は軒先１０から雪が滑り落ちてくる部分と離れた側までドラム端面から延在して設けられており、雪下ろしをする人が軒先一端側ワイヤ巻き取り送り出しドラム３１０を回転操作している最中に雪が頭上に落ちることがないような安全上の配慮がなされている。
【００３２】
また、軒先他端側ワイヤ巻き取り送り出しドラム３２０は、軒先他端側ワイヤ走行方向変換プーリーの下方に備わっている。そして、雪下ろしワイヤ４００のワイヤ雪下ろし部分４５０とワイヤ他端側送り出し部分４２０とがそれぞれドラムに所定回数だけ巻回された状態で、互いの端部４５２,４２１が連結されている。なお、軒先他端側ワイヤ巻き取り送り出しドラム３２０は、ブラケット３２５で軒先他端側１２の下方の家の外部に取り付けられると共に、このドラムを回転させるハンドル３２８が備わっている。また、ハンドル３２８の取っ手は軒先１０から雪が滑り落ちてくる部分と離れた側のドラム端面から延在して設けられており、雪下ろしをする人が軒先他端側ワイヤ巻き取り送り出しドラム３２０を回転操作している最中に雪が頭上に落ちることがないような安全上の配慮がなされている。
【００３３】
なお、軒先一端側ワイヤ巻き取り送り出しドラム３１０と軒先他端側ワイヤ巻き取り送り出しドラム３２０は、本実施形態に係る屋根の雪下ろし装置１を使用しない状態では不用意に回転するのを防止するための図示しないストッパーがそれぞれ設けられている。そして屋根の雪下ろし装置１を使用する際には、各ストッパーを解除して雪下ろしワイヤ４００を介して互いが連動して回転するようになっている。また、以下に説明する様々な態様の雪下ろしの仕方において、例えば一人で屋根の雪下ろしを行う場合、より効率的に雪下ろしができそうな場合は、雪下ろしの全工程のうち所定の工程におけるドラム回転時に、２つのワイヤ巻き取り送り出しドラム３１０，３２０のうち一方のドラムを回転させる間、他方のドラムをストッパーによって回転しないようにしても良い。
【００３４】
即ち、軒先一端側ワイヤ巻き取り送り出しドラム３１０をこのハンドル３１８で回転させることによって、この回転力が雪下ろしワイヤ４００を介して軒先他端側ワイヤ巻き取り送り出しドラム３２０にも伝わったときにのみ、この軒先他端側ワイヤ巻き取り送り出しドラム３２０も人の手を借りずに同期して回転するようになっている。
【００３５】
また、軒先他端側ワイヤ巻き取り送り出しドラム３２０をこのハンドル３２８で回転させることによって、この回転力が雪下ろしワイヤ４００を介して軒先一端側ワイヤ巻き取り送り出しドラム３１０にも伝わったときにのみ、軒先一端側ワイヤ巻き取り送り出しドラム３１０も人の手を借りずに同期して回転するようになっている。
【００３６】
屋根の雪おろしを行う雪下ろし用ワイヤ４００は、ワイヤ一端側送り出し部分４１０と、ワイヤ他端側送り出し部分４２０と、ワイヤ雪下ろし部分４５０からなる。雪下ろし用ワイヤ４００は金属製のワイヤ又は強度と耐久性に優れた樹脂製のワイヤ、若しくは紐を撚ってできた丈夫なロープを用いている。
【００３７】
ワイヤ雪下ろし部分４５０の一方の端部４５１は、上述したようにワイヤ一端側送り出し部分４１０の軒先一端側ワイヤ巻き取り送り出しドラム側の下側端部４１１と軒先一端側ワイヤ巻取り送り出しドラム３１０にそれぞれ所定回数だけ巻回された状態で連結されている。そして、軒先一端側ワイヤ巻き取り送り出しドラム３１０の回転に応じて、このドラムに巻回されるワイヤ雪下ろし部分４５０の長さとワイヤ一端側送り出し部分４１０の長さが変わるようになっている。
【００３８】
また、ワイヤ雪下ろし部分４５０の他方の端部４５２は、上述したようにワイヤ他端側送り出し部分４２０の軒先他端側ワイヤ巻き取り送り出しドラム側の下側端部４２１と軒先他端側ワイヤ巻取り送り出しドラム３２０にそれぞれ所定回数だけ巻回された状態で連結されている。
【００３９】
そして、軒先他端側ワイヤ巻き取り送り出しドラム３２０の回転に応じて、このドラムに巻回されるワイヤ雪下ろし部分４５０の長さとワイヤ他端側送り出し部分４２０の長さが変わるようになっている。
【００４０】
続いて、屋根の雪下ろし装置１における雪下ろしワイヤ４００のワイヤ雪下ろし部分４５０と、ワイヤ一端側送り出し部分４１０と、ワイヤ他端側送り出し部分４２０の取付状態について説明する。
【００４１】
ワイヤ雪下ろし部分４５０は、図１に示すように、屋根からの雪下ろし前の状態において、軒先一端側ワイヤ巻き取り送り出しドラム３１０から軒先一端側ワイヤ走行方向変換プーリー１１１に係合しながら、棟一端側ワイヤ走行方向変換プーリー２１０の近傍及び棟他端側ワイヤ走行方向変換プーリー２２０の近傍を経由し、第１の軒先他端側プーリー１２１に係合しながら、軒先他端側ワイヤ巻き取り送り出しドラム３２０まで達している。
【００４２】
ワイヤ一端側送り出し部分４１０は、軒先一端側ワイヤ巻き取り送り出しドラム３１０から第２の軒先一端側プーリー１１２に係合しながら、棟一端側ワイヤ走行方向変換プーリー２１０に更に係合し、かつその上側端部４１２が棟一端側ワイヤ走行方向変換プーリー２１０の近傍部分に位置するワイヤ雪下ろし部分４５０の一端側連結部４５５に連結固定されている。また、ワイヤ一端側送り出し部分４１０の下側端部４１１は、上述したようにワイヤ雪下ろし部分４５０の軒先一端側ワイヤ巻き取り送り出しドラム側の一方の端部４５１と、軒先一端側ワイヤ巻き取り送り出しドラム３１０にそれぞれ所定の回数だけ巻回された状態で互いに連結されている。
【００４３】
ワイヤ他端側送り出し部分４２０は、軒先他端側ワイヤ巻き取り送り出しドラム３２０から第２の軒先他端側プーリー１２２に係合しながら、棟他端側ワイヤ走行方向変換プーリー２２０に更に係合し、かつその上側端部４２２が棟他端側ワイヤ走行方向変換プーリー２２０の近傍部分に位置するワイヤ雪下ろし部分４５０の他端側連結部４５６に連結固定されている。また、ワイヤ他端側送り出し部分４２０の下側端部４２１は、上述したようにワイヤ雪下ろし部分４５０の軒先他端側ワイヤ巻き取り送り出しドラム側の他方の端部４５２と、軒先他端側ワイヤ巻き取り送り出しドラム３２０にそれぞれ所定の回数だけ巻回された状態で互いに連結されている。
【００４４】
続いて、本実施形態に係る屋根の雪下ろし装置を用いた屋根の雪下ろしの具体的なやり方について説明する。まず、屋根の雪下ろしをする人が１人の場合について説明する。図２は、図１に示した屋根の雪下ろし装置を用いて雪下ろしを行う際の動作を示す説明図である。また、図３は、図２に示した動作に続く雪下ろし動作を示す説明図である。また、図４は、図３に示した動作に続く雪下ろし動作を示す説明図である。
【００４５】
最初に、屋根の雪下ろしをする人が、軒先一端側ワイヤ巻き取り送り出しドラム３１０のハンドル３１８を操作することで、軒先一端側ワイヤ巻き取り送り出しドラム３１０からワイヤ一端側送り出し部分４１０を送り出すと共に、ワイヤ雪下ろし部分４５０を軒先一端側ワイヤ巻き取り送り出しドラム３１０に巻き取る。
【００４６】
これによって、図１の状態から図２の状態に向けたワイヤ雪下ろし部分４５０が棟一端側ワイヤ走行方向変換プーリー２１０から離間するワイヤ雪下ろし部分４５０の第１の移動動作が生じる。このワイヤ雪下ろし部分４５０の第１の移動動作により、屋根の上に積もった雪の少なくとも一部を軒先１０から雪下ろしすることができる（図１及び図２に示す屋根の上に積もったドット状の雪及び軒下に落ちたドット状の雪参照）。
【００４７】
この際、屋根の上に積もった雪の落ちる方向は、人がハンドル３１８を回す方向と反対側の軒先１０の他端１２の方向に向かって落ちていくので、軒先１０から落下してくる雪によって人が思わぬ怪我をするはない。
【００４８】
また、屋根に積もった雪の棟２０の一端２１から雪下ろしワイヤ４００が軒先１０の他方の端部１２の方向に斜めに向かって一端側連結部４５５を介して局所的な押し出し力を及ぼすので、屋根に積もった雪を斜め方向にずらすことで、軒先全体が固まって氷柱状になっていても、この雪の軒先近傍における屋根の固着力に対抗して、効率的に雪下ろしをすることができる。
【００４９】
続いて、屋根の雪下ろしをする人がハンドル３１８を更に同方向に回転することによって、その回転力が軒先他端側ワイヤ巻き取り送り出しドラム３２０にも伝達してこれをも回転せしめ、これに伴って図３に示すようにワイヤ雪下ろし部分４５０の一端側連結部４５５が第１の軒先一端側プーリー１１１に近づくと共に、他端側連結部４５６が引っ張られて屋根の上面の中央部分に向かって移動する。
【００５０】
この際、棟他端側ワイヤ走行方向変換プーリー２２０と第１の軒先他端側プーリー１２１との間のワイヤ雪下ろし部分４５０が、第２の軒先他端側プーリー１２２を中心として第１の軒先一端側プーリー１１１の方向に向かって屋根の上面を移動していく。このワイヤ雪下ろし部分４５０の移動動作によっても、屋根の上に積もった雪の一部を軒先１０の一端１１側からある程度雪下ろしすることができる（図３に示す屋根の上に積もったドット状の雪及び軒下に落ちたドット状の雪参照）。この際、軒先一端側ワイヤ巻き取り送り出しドラム３１０を回す人は、この時屋根の軒先１０から落ちてくる雪に気を付けながら雪下ろし動作を行う。
【００５１】
次いで、軒先他端側ワイヤ巻き取り送り出しドラム３２０の操作によって、屋根の上に積もった残りの雪を全て軒先１０から雪下ろしする。この雪下ろしにおいては、屋根の雪下ろしをする人が軒先から落ちてくる雪に気を付けながら、軒先他端側ワイヤ巻き取り送り出しドラム３２０の取り付け位置まで移動し、この軒先他端側ワイヤ巻き取り送り出しドラム３２０のハンドル３２８を操作する。なお、この軒先他端側ワイヤ巻き取り送り出しドラム３２０を操作するにあたって、後述するこのハンドル操作によるワイヤ雪下ろし動作を効率的に行うために、先ほど操作していた軒先一端側ワイヤ巻き取り送り出しドラム３１０にストッパーをかけてこれが回転しないようにしても良い。
【００５２】
このハンドル３２８を回転させることで、図３に示す状態から図４に示す状態に至るように、軒先他端側ワイヤ巻き取り送り出しドラム３２０からワイヤ他端側送り出し部分４２０を送り出すと共に、ワイヤ雪下ろし部分４５０を軒先他端側ワイヤ巻き取り送り出しドラム３２０に巻き取る。これによって、ワイヤ雪おろし部分４５０の他端側連結部４５６は、第１の軒先一端側プーリー１１１の近傍に位置するワイヤ雪下ろし部分４５０の一端側連結部４５５を回転中心として、軒先１０の他端１２に向かって移動する。
【００５３】
その結果、ワイヤ雪下ろし部分４５０の一端側連結部４５５と他端側連結部４５６との間で構成される上側ワイヤ雪下ろし部分４５８が、図４に示すように屋根の上の残りの全て軒先１０から軒下に落とす（図４に示す軒下に落ちたドット状の雪参照）。これによって、１人でもわざわざ屋根に登ることなく屋根の雪下ろし作業を安全に行うことができる。
【００５４】
続いて、上述した雪下ろし作業の若干の変形例について説明する。なお、上述した屋根の作業において図２に示す状態に至るまでは同様の手順で行う。そして、以下のような上述の雪下ろし作業とは異なる手順で雪下ろし作業を行う。図５は、図２に示した動作に続く別の雪下ろし動作を示す説明図である。また、図６は、図５に示した動作に続く雪下ろし動作を示す説明図である。
【００５５】
具体的には屋根の雪下ろしをする人が、軒先一端側ワイヤ巻き取り送り出しドラム３１０のハンドル３１８を先ほどと反対回りに操作することで、軒先一端側ワイヤ巻き取り送り出しドラム３１０にワイヤ一端側送り出し部分４１０を巻き取ると共に、ワイヤ雪下ろし部分４５０を軒先一端側ワイヤ巻き取り送り出しドラム３１０から送り出す。これによって、雪下ろしワイヤ４００を図１と同様の初期状態に戻す。
【００５６】
次いで、軒先他端側ワイヤ巻き取り送り出しドラム３２０の操作によって、屋根の上に積もった残りの雪を全て軒先１０から雪下ろしする。この雪下ろしにおいては、屋根の雪下ろしをする人が軒先から落ちてくる雪に気を付けながら、軒先他端側ワイヤ巻き取り送り出しドラム３２０の取り付け位置まで移動し、この軒先他端側ワイヤ巻き取り送り出しドラム３２０のハンドル３２８を操作する。
【００５７】
この際、図５に示す状態から軒先他端側ワイヤ巻き取り送り出しドラム３２０からワイヤ他端側送り出し部分４２０を送り出すと共に、ワイヤ雪下ろし部分４５０を軒先他端側ワイヤ巻き取り送り出しドラム３２０に巻き取る。これによって、図５に示す状態から図６に示す状態に至るまでのワイヤ雪下ろし部分４５０が棟他端側ワイヤ走行方向変換プーリー２２０から離間するワイヤ雪下ろし部分４５０の第２の移動動作が生じる。このワイヤ雪おろし部分４５０の第２の移動操作により、屋根の上に積もった雪の残りの殆どを軒先から雪下ろしすることができる。
【００５８】
この場合においても、屋根の上に積もった雪の落ちる方向は、人がハンドル３２８を回す方向と反対側の軒先１０の一端１１の方向に向かって落ちていくので、軒先１０から落下してくる雪によって人が思わぬ怪我をすることはない。
【００５９】
また、屋根に積もった雪の棟２０の他端２２にから雪下ろしワイヤ４００が斜めに向かって他端側連結部４５６を介して局所的な押し出し力を及ぼすので、屋根に積もった雪を斜め方向にずらすことで、軒先全体が固まって氷柱状になっていても、この雪の軒先近傍における屋根の固着力に対抗して、効率的に雪下ろしをすることができる。
【００６０】
また、上述の屋根の雪下ろし作業において、雪下ろしワイヤ４００が屋根の上の面を移動しない範囲、即ち屋根の軒先１０の中央部分近傍の屋根の上面の一部に雪が残っていたとしても（図６における屋根の上のドット状の雪参照）、この部分に残った雪は雪下ろしワイヤ４２０って屋根の上部からこの部分に押されてずれてきた雪の塊のため、例えば長い雪かき棒やそれ以外の長尺物を使って軒下から容易に取り除くことができる。または、雪下ろしをする人が後述する要領で軒先一端側ワイヤ巻き取り送り出しドラム３１０及び軒先他端側ワイヤ巻き取り送り出しドラム３２０を交互に回転させながら雪下ろしワイヤ４００の上側ワイヤ雪下ろし部分４５８を屋根の軒先１０に向かってほぼ平行に移動させてきてこの残りの雪を軒先１０から軒下に落としても良い。
【００６１】
なお、上述の説明では、屋根の雪下ろしをする人が、軒先一端側ワイヤ巻き取り送り出しドラム３１０を回転させた後、軒先他端側ワイヤ巻き取り送り出しドラム３２０を回転させたが、この動作の逆、即ち最初に軒先他端側ワイヤ巻き取り送り出しドラム３２０を回転させた後、軒先一端側ワイヤ巻き取り送り出しドラム３１０を回転させても、雪下ろしワイヤ４００の動きが屋根の軒先１０や棟２０から見て左右対称になるだけで、本発明における同様の効果を奏することは言うまでもない。
【００６２】
続いて、屋根の雪下ろしをする人が２人いる場合について、雪下ろし作業を効率的に行う方法について説明する。図７は、図１に示した屋根の雪下ろし装置を用いて雪下ろしを行う際の図２乃至図６とは異なる雪下ろし動作を示す説明図である。また、図８は、図７に示した動作に続く雪下ろし動作を示す説明図である。また、図９は、図８に示した動作に続く雪下ろし動作を示す説明図である。
【００６３】
最初に、一方の人が軒先一端側ワイヤ巻き取り送り出しドラム３１０のハンドル３１８を握り、他方の人が軒先他端側ワイヤ巻き取り送り出しドラム３２０のハンドル３２８を握る。そして、２人がそれぞれ軒先一端側ワイヤ巻き取り送り出しドラム３１０と軒先他端側ワイヤ巻き取り送り出しドラム３２０のハンドル３１８，３２８を同時に回転操作することで、ワイヤ一端側送り出し部分４１０とワイヤ他端側送り出し部分４２０が同時に送り出されるようになる。
【００６４】
これによって、ワイヤ雪下ろし部分４５０のうち、棟一端側ワイヤ走行方向変換プーリー２１０の近傍部分と棟他端側ワイヤ走行方向変換プーリー２２０の近傍部分との間の上側ワイヤ雪下ろし部分４５８が、軒先１０に向かって平行に移動する。この上側ワイヤ雪下ろし部分４５８の軒先１０に向かって平行移動する。
【００６５】
そして、図７に示す状態から図８に示す状態を経て図９に示す状態に至ることで、屋根の上に積もった雪を一度に軒先に雪下ろしする。なお、この場合は、２人がかりでドラム３１０とドラム３２０を同時に回転させるので、その分、屋根の上に積もった雪を棟２０の一端２１から他端２２に至るまで雪下ろしワイヤ４００によって軒先の１０の一端１１から他端１２に向けて一気にずらして雪下ろしするので、短時間で雪下ろし作業を完了することができる（図７及び図８の屋根の上に積もったドットで示す雪並びに図９における軒先１０から下に落ちたドットで示す雪参照）。
【００６６】
続いて、本発明に係る屋根の雪下ろし装置の作用について説明する。上述した説明から分かるように、本発明に係る屋根の雪下ろし装置によると、コストが安く簡単に設置でき、かつ設置後に季節によって取外す必要がなく、更には雪下ろしに際して少ない電力で効果的に屋根の雪下ろしを行うことができる。
【００６７】
より詳細には、本発明によると屋根の雪下ろし装置を用いることで、以下のような優れた作用を発揮することができる。具体的には、例えば降雪が止んで天気が良く気温が比較的上昇した日で、屋根全体に積もった雪が凍って固まっているような場合、通常、屋根とその上に積もった雪の塊との間の境界となる部分の温度は、屋内の暖房等により雪の塊の上層部分よりも高くなっている。そのため、この屋根の上面と接する雪の塊の下層部分における境界領域雪が溶けて水の層をなすようになる。そして、屋根に雪が積もって後に屋内の暖房等をしばらく続けることで、この水の層が屋根の棟から軒先にかけて全体的に広がっていく。水の層となっている部分の上側に積もっている雪は、積雪時には粉雪であったが、その後は水分を含んで一体化した氷に近い重い塊となっている。
【００６８】
上述した水の層がある一定範囲まで広がった状態で、本発明に係る屋根の雪下ろし装置の雪下ろしワイヤが屋根の上に積もった雪の塊の棟に近い部分を軒先に向かって屋根の上面に沿うようにしながら移動させることによって、この屋根に積もって固まった雪は、それ自身の重さによって全層雪崩のような現象となって屋根の軒先に向かってまとめて落下させることができる。
【００６９】
これによって、屋根に積もって固まって一体化した雪を居住者がわざわざ屋根に登ってスコップで少しずつ砕いて軒下に落とすような、極めて体力的にきつく雪下ろし作業を終えるまで長時間を有し、かつ雪下ろし中に誤って屋根から落下して大怪我を負ったり死亡したりしてしまうという近年問題となっている雪下ろし中の痛ましい事故を本発明によると屋根の雪下ろし装置を用いることで完全に防ぐことができる。
【００７０】
また、発明が解決しようとする課題の欄で紹介した特許文献１乃至特許文献４に記載されている屋根の雪下ろし装置のような定期的なメンテナンスをさほど必要とせず、これに伴う余分なコストを抑えることができる。また、本発明に係る屋根の雪下ろし装置は常時設置型であるので、例えば特許文献１や特許文献２に開示された屋根の雪下ろし装置において考えられる夏場の影響を防ぐべく冬場のみの使用として毎年冬になるごとに屋根の上での極めて面倒かつ危険を伴うコスト高な敷設作業を行わなくても済む。
【００７１】
また、発明が解決しようとする課題の欄で紹介した特許文献３や特許文献４に記載された屋根の雪下ろし装置のような作動のための電力を全く必要とせず、これに伴って毎年冬の期間に発生する高額な電気代が生じることはない。
【００７２】
なお、上述した各実施形態は本発明を実施するためのあくまで一例に過ぎず、本発明の作用効果を奏する範囲内であれば様々な変形例が考えられる。
【００７３】
即ち、本発明における屋根の雪下ろし装置において、軒先一端側ワイヤ走行方向変換手段、軒先他端側ワイヤ走行方向変換手段、棟一端側ワイヤ走行方向変換手段、棟他端側ワイヤ走行方向変換手段は、プーリーの代わりにベアリングを備えて抵抗を有さずに回転する専用の滑車や、それ自身が回転しなくても砲金でできたシャフトにワイヤ方向変換用の溝部を形成してその溝部にワイヤを引っ掛けるようにしても良い。
【符号の説明】
【００７４】
１    屋根の雪下ろし装置
１０    軒先
１１    一端
１２    他端
２０    棟
２１    一端
２２    他端
１１０（１１１，１１２）    軒先一端側ワイヤ走行方向変換プーリー
１１１    第１の軒先一端側プーリー
１１２    第２の軒先一端側プーリー
１１５    取付ブラケット
１２０  （１２１，１２２）    軒先他端側ワイヤ走行方向変換プーリー
１２１    第１の軒先他端側プーリー
１２２    第２の軒先他端側プーリー
１２５    取付ブラケット
２１０    棟一端側ワイヤ走行方向変換プーリー
２１５    取付ブラケット
２２０    棟他端側ワイヤ走行方向変換プーリー
３１０    軒先一端側ワイヤ巻き取り送り出しドラム
３１５    ブラケット
３１８    ハンドル
３２０    軒先他端側ワイヤ巻き取り送り出しドラム
３２５    ブラケット
３２８    ハンドル
４００    雪下ろしワイヤ
４１０    ワイヤ一端側送り出し部分
４１１    下側端部（端部）
４１２    上側端部（端部）
４２０    ワイヤ他端側送り出し部分
４２１    下側端部
４２２    上側端部
４５０    ワイヤ雪下ろし部分
４５１    一方の端部（端部）
４５２    他方の端部（端部）
４５５    一端側連結部
４５６    他端側連結部
４５８    上側ワイヤ雪下ろし部分
【図１】
2018184764.tif 000003
【図２】
2018184764.tif 000004
【図３】
2018184764.tif 000005
【図４】
2018184764.tif 000006
【図５】
2018184764.tif 000007
【図６】
2018184764.tif 000008
【図７】
2018184764.tif 000009
【図８】
2018184764.tif 000010
【図９】
2018184764.tif 000011
【図１０】
2018184764.tif 000012